(57)【要約】  【課題】  壁掛用薄型筐体内での大出力アンプの強制空冷を実現し、より小さいスペースで大出力のアンプを備えられる壁掛型音響防災装置を提供する。  【解決手段】  壁掛型の筐体３にアンプ部５が組み込まれ、アンプ部５にファン２１が設けられている。ファン２１は、第１および第２のアンプ端部から離れて位置しており、ファン２１の送風方向は筐体３の前面を向いている。ファン２１によりアンプ部から送出される空気を導くように、排気通路Ａが、ファン２１の送出側から第１および第２のアンプ端部に向かって筐体３の前面に沿って延びている。排気通路Ａの排気口Ｂは筐体３の前面を向けて設けられている。【選択図】  図１
2006178821.tif 000002
【特許請求の範囲】
【請求項１】
壁掛型の筐体と、前記筐体に組み込まれたアンプ部と、前記アンプ部に設けられたファンとを備えており、前記ファンは、対向する第１および第２のアンプ端部から離れて位置しており、前記ファンの送風方向は筐体前面を向いており、前記ファンにより前記アンプ部から送出される空気を導くように前記ファンの送出側から前記第１および第２のアンプ端部に向かって前記筐体の前面に沿って前記筐体内を排気通路が延びており、前記排気通路の排気口が前記筐体の前面を向けて設けられていることを特徴とする壁掛型音響防災装置。
【請求項２】
前記排気通路に放熱板が配置されており、前記放熱板のベース部が前記排気通路の後壁を形成しており、前記アンプ部の発熱素子が前記ファンの吸引側空間にて前記放熱板の前記ベース部の背面に取り付けられていることを特徴とする請求項１に記載の壁掛型音響防災装置。
【請求項３】
前記ファンの吸引口近傍に前記アンプ部の電解コンデンサが配置されていることを特徴とする請求項１または２に記載の壁掛型音響防災装置。
【請求項４】
前記ファンの吸引側空間で前記電界コンデンサの両側にそれぞれトランスが配置され、前記電界コンデンサの前に前記ファンが配置されていることを特徴とする請求項３に記載の壁掛型音響防災装置。
【請求項５】
前記排気通路の前壁を形成する整流板が、前記ファンから送出された空気を整流して前記第１および第２のアンプ端部に向かって流すように、前記ファンの前方に備えられていることを特徴とする請求項１ないし４のいずれかに記載の壁掛型音響防災装置。
【請求項６】
前記整流板は前記アンプ部に着脱可能に取り付けられており、前記ファンは、前記整流板に取り付けられていて、前記整流板とともに前記アンプ部から着脱可能であることを特徴とする請求項５に記載の壁掛型音響防災装置。
【請求項７】
前記アンプ部は細長形状のアンプブロックであり、前記アンプブロックの長手方向の略中央に前記ファンが備えられ、前記排気通路は前記ファンから前記長手方向の両端に向かって延びていることを特徴とする請求項１ないし６のいずれかに記載の壁掛型音響防災装置。
【請求項８】
前記アンプブロックが、前記箱形筐体の下部に、前記アンプブロックの長手方向が前記筐体の横方向に沿うように配置されていることを特徴とする請求項７に記載の壁掛型音響防災装置。
【請求項９】
前記アンプブロックが、前記長手方向が前記筐体の上下方向に沿うように配置されていることを特徴とする請求項７に記載の壁掛型音響防災装置。
【請求項１０】
壁掛型の筐体と、前記筐体に組み込まれたアンプ部と、前記アンプ部に設けられたファンとを備えており、前記ファンは、対向する第１および第２のアンプ端部から離れて位置しており、前記ファンの送風方向が筐体の前後方向を向いており、前記ファンから前記第１および第２のアンプ端部に向かい送風路が延びており、前記送風路は、前記アンプ部の前部を前記筐体内を前記筐体の前面に沿って延びており、前記送風路の口が前記筐体の前面を向けて設けられていることを特徴とする壁掛型音響防災装置。
【発明の詳細な説明】
【技術分野】
【０００１】
本発明は壁掛型音響防災装置に関し、特に、アンプの冷却性能の向上に関する。
【背景技術】
【０００２】
従来、防災設備の制御装置として壁掛型音響防災装置が提供されている。壁掛型音響防災装置は、建物等の設備の各所に設置された火災感知器およびスピーカと接続されており、火災感知器による火災の感知に応答してスピーカに放送を出力させる。
【０００３】
壁掛型音響防災装置は、壁面に取り付けられることから、薄型であることが求められる。また、背面が壁面に接しているので、内部で発生する熱は、背面からは排出できない。さらに、左右に物が配置される可能性があるので、側面からの排熱も好ましくない。したがって、内部の熱は上面または前面から排出されることが求められる。
【０００４】
壁掛型音響防災装置において、内部の主要な熱源はアンプである。複数のスピーカーから大音量の放送を出力する必要があるので、大出力で重量およびサイズ共に大きいアンプが備えられている。従来、アンプの冷却構造としては、専ら自然空冷構造が採用されており、強制空冷構造のアンプは実現されていない。その理由は下記のように考えられる。
【０００５】
一般的なアンプの強制空冷構造は、アンプ全体を覆うトンネル構造を備えている。そして、トンネルの入口にファンが備えられ、ファンにより空気が圧送される。また、トンネルの壁面には放熱板（放熱フィン）が設けられる。このような強制空冷構造を壁掛型音響防災装置に適用しようとすると、トンネル構造を備えるために装置の厚みを増やす必要があり、壁掛けのための薄型の要求を満たせなくなる。また、トンネル型の強制空冷構造を壁掛型音響防災装置に備えようとすると、トンネルの空気出入口が筐体の側面に配置されることになるが、既に説明したように壁掛型音響防災装置では側面を排熱に利用できない。このような理由で、従来一般的な強制空冷構造は壁掛型音響防災装置には採用できない。なお、強制空冷構造は例えば特許文献１に開示されている。
【０００６】
上記のように、従来の壁掛型音響防災装置は、強制空冷を採用しておらず、自然空冷構造のアンプを備えられている。そして、熱せられた空気の滞留を防ぐため、アンプは筐体の上部に横置きに配置されており、アンプの熱が筐体上部の排熱口から排出されている。
【特許文献１】特開平７−３２４８４０号公報（第２ページ、図６）
【発明の開示】
【発明が解決しようとする課題】
【０００７】
しかしながら、従来の壁掛型音響防災装置においては、自然空冷構造を採用しているためにアンプの冷却能力が低いので、小さなスペースで大出力のアンプを搭載するのが容易でないといった問題があった。そして、アンプの出力を大きくしたり、あるいは、アンプの温度を下げようとすると、放熱板を巨大化する必要が生じ、このことが装置の大型化を招き、薄型化の要求に応えられなくなってしまうという問題があった。
【０００８】
本発明は、従来の問題を解決するためになされたもので、その目的は、小さいスペースで大出力のアンプを備えることができる壁掛型音響防災装置を提供することにある。
【課題を解決するための手段】
【０００９】
本発明の壁掛型音響防災装置は、壁掛型の筐体と、前記筐体に組み込まれたアンプ部と、前記アンプ部に設けられたファンとを備えており、前記ファンは、対向する第１および第２のアンプ端部から離れて位置しており、前記ファンの送風方向は筐体前面を向いており、前記ファンにより前記アンプ部から送出される空気を導くように前記ファンの送出側から前記第１および第２のアンプ端部に向かって前記筐体の前面に沿って前記筐体内を排気通路が延びており、前記排気通路の排気口が前記筐体の前面を向けて設けられている。
【００１０】
上記構成により、第１および第２のアンプ端部から離れた位置にファンを設け、ファンの送風方向を筐体前面に向け、ファンの送出側から第１および第２のアンプ端部に向かって筐体の前面に沿って筐体内を延びる排気通路を設けたので、壁掛用の薄型の筐体内に大出力アンプの強制空冷構造を備えることができ、これにより、小さいスペースで大出力のアンプを備えることができる。
【００１１】
また、本発明の壁掛型音響防災装置では、前記排気通路に放熱板が配置されており、前記放熱板のベース部が前記排気通路の後壁を形成しており、前記アンプ部の発熱素子が前記ファンの吸引側空間にて前記放熱板の前記ベース部の背面に取り付けられている。
【００１２】
この構成により、排気通路の放熱板で発熱素子を冷却するとともに、前記ファンの吸引側空間で送風により発熱素子を冷却することができ、したがって、効率よく発熱素子を冷却できる。
【００１３】
また、本発明の壁掛型音響防災装置では、前記ファンの吸引口近傍に前記アンプ部の電解コンデンサが配置されている。この構成により、熱に弱い電界コンデンサの温度を効率よく下げることができる。
【００１４】
また、本発明の壁掛型音響防災装置では、前記ファンの吸引側空間で前記電界コンデンサの両側にそれぞれトランスが配置され、前記電界コンデンサの前に前記ファンが配置されている。この構成により、電界コンデンサを優先的に冷却すると共に、その両側のトランスも冷却でき、アンプ全体を効率よく冷却できる。
【００１５】
また、壁掛型音響防災装置では、前記排気通路の前壁を形成する整流板が、前記ファンから送出された空気を整流して前記第１および第２のアンプ端部に向かって流すように、前記ファンの前方に備えられている。この構成により、ファンから送出された空気を第１および第２のアンプ端部に向けて整流して、効率の良く冷却を行える。
【００１６】
また、本発明の壁掛型音響防災装置において、前記整流板は前記アンプ部に着脱可能に取り付けられており、前記ファンは、前記整流板に取り付けられていて、前記整流板とともに前記アンプ部から着脱可能である。この構成により、ファンの交換等のメンテナンス作業が容易になる。
【００１７】
また、本発明の壁掛型音響防災装置において、前記アンプ部は細長形状のアンプブロックであり、前記アンプブロックの長手方向の略中央に前記ファンが備えられ、前記排気通路は前記ファンから前記長手方向の両端に向かって延びている。この構成により、細長形状のアンプブロックに強制空冷構造を好適に備えられる。
【００１８】
また、本発明の壁掛型音響防災装置では、前記アンプブロックが、前記箱形筐体の下部に、前記アンプブロックの長手方向が前記筐体の横方向に沿うように配置されている。このように、自然空冷構造のアンプの配置が筐体上部に制限されるのと異なり、強制空冷構造を採用したことで、アンプブロック、内部配線板やバッテリーの配置の自由度が増し、使用環境、設置環境、工事環境などに合わせた自由な内部レイアウトが可能になり、アンプブロックを筐体下部に配置できる。そして、重量の大きいアンプブロックを筐体下部に配置することで、設置作業における作業者への負荷を大幅に軽減できる。
【００１９】
また、本発明の壁掛型音響防災装置では、前記アンプブロックが、前記長手方向が前記筐体の上下方向に沿うように配置されている。このように、自然空冷構造のアンプの配置が筐体上部に制限されるのと異なり、強制空冷構造を採用したことで、アンプブロック、内部配線板やバッテリーの配置の自由度が増し、使用環境、設置環境、工事環境などに合わせた自由な内部レイアウトが可能になり、アンプブロックを縦置き状態に配置することもできる。スピーカへの配線のスペースを確保するための逃げをアンプブロックに設けることが不要になり、熱的にもさらに有利になる。
【００２０】
また、本発明の別態様に係る壁掛型音響防災装置は、壁掛型の筐体と、前記筐体に組み込まれたアンプ部と、前記アンプ部に設けられたファンとを備えており、前記ファンは、対向する第１および第２のアンプ端部から離れて位置しており、前記ファンの送風方向が筐体の前後方向を向いており、前記ファンから前記第１および第２のアンプ端部に向かい送風路が延びており、前記送風路は、前記アンプ部の前部を前記筐体内を前記筐体の前面に沿って延びており、前記送風路の口が前記筐体の前面を向けて設けられている。この構成では、ファンがアンプ部の空気を排出してもよく（排気型）、アンプ部に空気を送り込んでもよい（吸気型）。排気型の構成は既に説明した態様に相当する。吸気型の構成では、上述の態様と送風方向が逆になり、筐体の背面を向く。また、送風路は排気通路ではなく吸気通路となり、送風路の口は排気口ではなく吸気口となる。
【発明の効果】
【００２１】
本発明は、第１および第２のアンプ端部から離れて位置にファンを設け、ファンの送風方向を筐体前面に向け、ファンの送出側から第１および第２のアンプ端部に向かって筐体の前面に沿って筐体内を延びる排気通路を設けたことにより、壁掛用の薄型の筐体内に大出力アンプの強制空冷構造を備えることができる。これにより、小さいスペースで大出力のアンプを備えることができるというという効果を有する壁掛型音響防災装置を提供することができる。
【発明を実施するための最良の形態】
【００２２】
以下、本発明の実施の形態の壁掛型音響防災装置について、図面を用いて説明する。
【００２３】
本発明の実施の形態の壁掛型音響防災装置を図１〜図４に示す。図１は、壁掛型音響防災装置１の装置上部の断面図であり、筐体３と、筐体３に組み込まれたアンプブロック５の断面が示されている。アンプブロック５は本発明のアンプ部に相当する。図２は、壁掛型音響防災装置１の斜視図である。図２では、アンプブロック５が筐体３の外に示されているが、実際にはアンプブロック５は筐体３の内部に組み付けられている。さらに、図３は図１に対応する分解図であり、図４はアンプブロック５単体の斜視図である。
【００２４】
まず、図２を参照して、壁掛型音響防災装置１の全体的な構成を概略的に説明すると、筐体３は壁面に設置されるように構成されており、すなわち、壁掛けに適した薄型で直方体の形状を有している。筐体３の前面にはスイッチ、ボタン、マイク等が配置されている。図示されないが、設置状態では、壁掛型音響防災装置１から防災設備のスピーカへと配線が延びていく。
【００２５】
アンプブロック５は、全体としては細長い直方体であり、筐体３の上部に横置きに配置されている。筐体３の前面上部および上面には排気カバー７が設けられており、アンプブロック５は排気カバー７の内側に位置している。排気カバーには多数のスリットが設けられており、これらスリットが排熱口を構成している。また、筐体３には、アンプブロック５に加えて、内部配線板、バッテリーなどが組み込まれており、内部配線板およびバッテリーは、アンプブロック５の下方に配置されている。
【００２６】
次に、アンプブロック５とその冷却構造を説明する。本実施の形態のアンプブロック５は、下記に詳細に説明するように、排気型強制空冷方式アンプブロックであり、アンプブロック５内の空気を強制的に排気する構造を備えている。以下の説明では、筐体３を前面から見た状態を基準として、前後、左右、上下といった用語を使用する。したがって、筐体３の前面の方向が「前側」であり、背面（壁）の方向が「後側」である。
【００２７】
図１において、アンプブロック５は、概略的には、全体として略直方体のフレーム１１と、フレーム１１内の両側の後部に設けられた左右のトランス１３、１５と、両トランス１３、１５の間であって略中央に設けられた左右の電解コンデンサ１７、１９と、両コンデンサ１７、１９の前方であって略中央に設けられた強制空冷用のファン２１と、ファン２１の左右に配置された放熱板２３、２５と、放熱板２３、２５の背面に取り付けられた発熱素子２７と、ファン２１の前方に配置された整流板２９とを備えている。そして、放熱板２３、２５および整流板２９が排気通路Ａを形成しており、排気通路Ａは、ファン２１から両端に向かって筐体３の前面に沿って筐体３内を延びており、排気通路Ａの排気口Ｂが筐体３の前面に開口している。
【００２８】
フレーム１１は、左右の側壁３１、３３および後壁３５を有しており、これらはつながっている。トランス１３、１５は入力または出力トランスであり、アンプブロック５の後部に位置している。左右のトランス１３、１５はそれぞれアンプブロック５の左半部および右半部に位置しており、左右の側壁３１、３５に近接している。
【００２９】
電解コンデンサ１７、１９は、左右のトランス１３、１５の間であって、左右方向の略中央に並んで配置されている。後壁３５は、電界コンデンサ１７、１９の後ろに逃げ部３７を有する。逃げ部３７は、筐体３の後部を上下に延びるスピーカー等の配線を避けるために設けられている。
【００３０】
ファン２１は、電界コンデンサ１７、１９の前側に設けられており、電解コンデンサ１７、１９はファン２１の近傍に配置されている。ファン２１は、アンプブロック５の左右の端部（対向する第１および第２のアンプ端部の一形態）から離れており、左右方向の略中央に位置している。また、ファン２１は、前後方向でも、アンプブロック５の両端から離れており、アンプブロック５全体の略中央に位置している。ファン２１は、前方から見て略正方形のファンフレーム４１と、ファンフレーム４１の中央で回転する羽根４３とを有する（図４）。ファン２１の送風方向は筐体３の前面を向いており、したがって、ファン２１はアンプ内の空気を前方に吸い出し、排出するように設けられている。
【００３１】
左右の放熱板２３、２５は、ファン２１の両側に配置されている。放熱板２３、３５は、それぞれ、ファン２１の左右端からアンプブロック５の側壁３１、３３まで延びている。放熱板２３、２５は、ベース部４５と、ベース部４５に立った複数の平行な放熱フィン４７とで構成されている（図４）。ベース部４５は、前後方向にはファン２１の前端とほぼ同じ位置にあり、アンプブロック５の前壁部を構成している。放熱フィン４７は、ベース部４５から前方に向かって立っており、そして、水平方向に延びている。複数の発熱素子２７は、ベース部４５の背面に配列され、取り付けられており、これにより発熱素子２７はファン２１の吸引側空間内に位置している。発熱素子２７はパワートランジスタなどである。
【００３２】
整流板２９は、ファン２１の前方に備えられている。整流板２９は、前後方向には、放熱板３３、３５の放熱フィン４７の先端付近に位置している。整流板２９は、ファン２１と、左右の放熱板２３、２５の一部を覆っている。左右の放熱板２３、２５は、中央側の略半部が整流板２９に覆われている。
【００３３】
排気通路Ａは、放熱板２３、２５および整流板２９により形成されている。放熱板２３、２５のベース部４５が排気通路Ａの後壁を形成しており、整流板２９が排気通路Ａの前壁を形成している。排気通路Ａはベース部４５と整流板２９の間を左右端に向かって延びており、これにより、ファン２１から両端に向かって筐体３の前面に沿って筐体３内を延びている。
【００３４】
放熱板２３、２５の外側の略半部は、整流板２９に覆われていない。この部分、すなわち、整流板２９の両脇の部分が排気通路Ａの排気口Ｂであり、排気口Ｂは筐体３の前面を向いている。筐体３の前面には、前述したように、多数のスリットが設けられた排気カバー７が設定されており、排気通路Ａの空気は排気口Ｂを出て排気カバー７のスリットを通り、筐体外部に出ることができる。
【００３５】
排気通路Ａは、下記のように筐体３の内部空間から隔離されている。まず、放熱板２３、２５のベース部４５が、後側の筐体内部空間と前側の排気通路Ａとの隔壁になっている（ここで、ベース部４５の後側の空間は、トランス１３、１５、電解コンデンサ１７、１９、発熱素子２７といったアンプ部品が設けられたアンプ部空間ということもでき、また、ファン２１により空気が吸い込まれる吸引側空間ともいえる）。さらに、放熱板２３、２５の上下には排気通路Ａの上壁５１および下壁５３が設けられている。上壁５１および下壁５３は、フレーム１１から前方に延びる板状部分であり。また、フレーム１１の側壁３１、３３が前方に延長されて、ダクト壁部５５、５７が形成されている。そして、上壁５１、下壁５３およびダクト壁部５５、５７は、筐体前面の排気カバー７まで延びて、筐体前面の開口５９の縁部６１に接している。これらベース部４５、上壁５１、下壁５４、ダクト壁５５、５７により、排気通路Ａが筐体３の内部空間から隔離されており、アンプ部空間のアンプ部品からも隔離されており、このような構造が、熱せられた空気が排気通路Ａから筐体内部に戻るのを防ぐ半密閉通路を形成している。
【００３６】
その他、アンプブロック５の側壁３１、３３には、図２に示されるように、複数の穴が設けられている。これらは、ファン２１に吸引される空気の通り道になる。すなわち、筐体３の空気が側壁３１、３３の穴を通ってファン２１に吸い込まれる。また、アンプブロック５の上部にも開口が設けられている。この上部の開口を通しても排熱が行われる。アンプブロック５の熱は、上部の開口から筐体上面のスリットを通って上方へ逃げることができる。
【００３７】
また、図４は、整流板２９とファン２１をアンプブロック５から取り外した状態を示している。整流板２９にはファン取付部６３が設けられている。ファン取付部６３は、ファン取付壁６５とファン取付フランジ６７とで構成されている。ファン取付部６３は、整流板２９の上下端から後方に折れ曲がった部分である。そして、ファン取付フランジ６７は、ファン取付壁６５の後端から垂直方向に折れ曲がった部分である。
【００３８】
ファン取付フランジ６７には４本のねじ６１でファン２１が取り付けられている。整流板２９は、ファン２１が取り付けられた状態で、フレーム１１へと組み付けられる。整流板２９を取り付けると、ファン２１が放熱板２３、２５の間に嵌り込む。整流板２９はフレーム１１に対して着脱可能であり、また、ファン２１は整流板２９に対して着脱可能である。
【００３９】
また、ファン取付壁６３の高さは、放熱板２３、２５の厚さとほぼ同じである。これにより、図１に示されるように、ファン２１の前端（送出側端部）が放熱板２３、２５のベース部４５の横に位置しており、ファン２１が放熱板２３、２５より奥に配置されている。
【００４０】
次に、壁掛型音響防災装置１の組立順序について説明する。図３に示されるように、アンプブロック５が、筐体３に装着する前に予め組み立てられる。トランス１３、１５、電界コンデンサ１７、１９、発熱素子２７といったアンプ部品はもちろん、ファン２１、放熱板２３、２５、整流板２９といった冷却用の部品も予めアンプブロック５に組み付けられている。このアンプブロック５が筐体３に挿入され、収納されて、筐体３の上部の所定の位置に横置きの姿勢で固定される。そして、筐体３の前面に排気カバー７が取り付けられて、蓋がされる。
【００４１】
次に、ファン２１のメンテナンス作業について説明する。ファン２１は消耗品であり、必要に応じて交換される。ファン２１を取り出すときは、整流板２９が取り外される。これにより、ファン２１が整流板２９と共にアンプブロック５から取り外される。そして、整流板２９からファン２１が取り外され、新しいファン２１が整流板２９に取り付けられ、整流板２９が再びアンプブロック５に取り付けられる。ファン２１は放熱板２３、２５の間を通り、アンプブロック５の略中央の所定の場所に再び配置される。
【００４２】
図５は、壁掛型音響防災装置１による冷却動作を示している。図５の矢印は、筐体３内の空気（風）の流れを示している。ファン２１が回転すると、筐体３内の空気がファン２１に吸い込まれ、前方へと送出される。このとき、ファン２１の吸引側空間（ファン２１および放熱板２３、２５の後ろ側空間）を空気が流れる。そして、空気流上にあるトランス１３、１５および電界コンデンサ１７、１９が冷却される。また、発熱素子２７もある程度冷却される。
【００４３】
ファン２１から送出された排出空気は、整流板２９で整流されて、左右に曲がり、排気通路Ａへ送られ、排気通路Ａ内で放熱板２３、２５に接する。排出空気は、発熱素子２７により熱せられた放熱フィン４７の隙間を進み、これにより熱交換が行われ、すなわち、放熱フィン４７が冷却され、排出空気が熱せされる。そして、あたためられた排出空気は、排気口Ｂを通り、排気カバー７を通って筐体３の前面へと排出される。排気通路Ａの終端まで達した空気は、ダクト壁５５、５７により曲げられて前方に向かい、排気口Ｂに至る。
【００４４】
ところで、上記の壁掛型音響防災装置１では従来技術と同様にアンプブロック５が上部に横置き配置されていた。しかし、本実施の形態では、強制空冷を採用したことで、壁掛型音響防災装置１のレイアウトの自由度が増している。そこで、図６を参照し、壁掛型音響防災装置１が採用し得る各種のレイアウトを例示して説明する。
【００４５】
図６（ａ）、図６（ｂ）、図６（ｃ）は、前方から見た壁掛型音響防災装置１の内部のレイアウトを示している。
【００４６】
図６（ａ）は、上述の実施の形態で説明したレイアウトに相当し、アンプブロック５が上部に横置き配置されている。そして、アンプブロック５の下方にバッテリー７１および内部配線板７３が配置されている。バッテリー７１は側面付近に縦置き配置され、内部配線板７３も縦置き配置されている。バッテリー７１が底面に横置き配置され、その上に内部配線板７３が横置き配置されてもよい。ここで、横置き配置は、部品の長手方向が筐体の横方向（水平方向）に沿うように配置されることをいう。また、縦置き配置は、部品の長手方向が筐体の上下方向（鉛直方向）に沿うように配置されることをいう。
【００４７】
次に、図６（ｂ）のレイアウトでは、アンプブロック５が、壁掛型音響防災装置１の下部底面付近に横置き配置されている。そして、バッテリー７１がアンプブロック５の上に横置き配置され、さらにその上に内部配線板７３が横置き配置されている。バッテリ７１が側面付近に縦置き配置され、内部配線板７３も縦置き配置されてもよい。
【００４８】
また、図６（ｃ）のレイアウトでは、アンプブロック５が機器側面付近に縦置き配置されている。内部配線板７３も縦置き配置されており、バッテリー７１はアンプブロック５および内部配線板７３の下側で、底面付近に横置き配置されている。バッテリー７１が側面付近に縦置き配置されてもよい。また、内部配線板７３も横置き配置されてもよい。
【００４９】
自然空冷方式では、空気の滞留を防ぐため、図６（ａ）のレイアウトを取る必要があった。これに対して、本実施の形態では、強制空冷を実現できたので、空気の滞留の問題を解消でき、図６（ｂ）および図６（ｃ）のような他のレイアウトが可能であり、壁掛型音響防災装置１におけるアンプブロック５の配置の自由度が増している。これに伴い、アンプブロック５、内部配線板７３やバッテリー７１の配置の自由度も増し、使用環境、設置環境、工事環境などに合わせた自由な内部レイアウトが可能になる。
【００５０】
そして、図６（ｂ）では、重いアンプブロック５を下方に配置したことで、アンプブロック５を持ち上げて組み込む作業が楽になる。設置作業における作業性を大幅に向上し、工事作業者の負担を大幅に軽減できる。図示のようにバッテリー７１も下方に配置することで、作業性をさらに向上できる。重心が下に下がるので、壁掛け設置の安定度も増す。また、図６（ｂ）では、スピーカへの配線のスペースをアンプブロック５に確保する必要がなくなる。これにより、アンプブロック５が熱的にもさらに有利になる。
【００５１】
また、図６（ａ）のレイアウトでも、本実施の形態の壁掛型音響防災装置１は、従来装置にはない利点を有している。すなわち、従来装置は、自然空冷式であるので、筐体上面へ物を置くことが制限されていた。これに対して、本実施の形態では、強制空冷によって筐体前面へ排気が行われるので、上部へ物を置くことの制限が緩和され、あるいは許可されてもよい。
【００５２】
以上に本発明の実施の形態に係る壁掛型音響防災装置１について説明した。本実施の形態によれば、第１および第２のアンプ端部から離れて位置にファン２１を設け、ファン２１の送風方向を筐体前面に向け、ファン２１の送出側から第１および第２のアンプ端部に向かって筐体３の前面に沿って筐体３内を延びる排気通路Ａを設けたので、壁掛用の薄型の筐体３内に大出力アンプの強制空冷構造を備えることができ、これにより、小さいスペースで大出力のアンプを備えることができる。
【００５３】
また、本実施の形態では、排気通路Ａに放熱板２３、２５が配置されており、放熱板２３、２５のベース部４５が排気通路Ａの後壁を形成しており、発熱素子２７が放熱板２３、２５に取り付けられ、かつ、ファン２１の吸引側空間内に位置している。したがって、排気通路Ａで放熱板２３、２５により発熱素子２７を冷却するとともに、ファン２１の吸引側空間での送風により発熱素子２７を冷却することができ、したがって、効率よく発熱素子２７を冷却できる。
【００５４】
また、本実施の形態では、ファン２１の吸引口近傍に電解コンデンサ１７、１９が配置されており、これにより、熱に弱い電界コンデンサの温度を効率よく下げることができる。
【００５５】
また、本実施の形態では、ファン２１の吸引側空間で第１および第２のアンプ端部の内側にトランス１３、１５が配置され、トランス１３、１５の間に電界コンデンサ１７、１９が配置され、電界コンデンサ１７、１９の前にファン２１が配置されている。したがって、電界コンデンサ１７、１９を優先的に冷却すると共に、その両側のトランス１３、１５も冷却でき、アンプ全体を効率よく冷却できる。
【００５６】
また、本実施の形態では、排気通路Ａの前壁を形成する整流板２９が、ファン２１から送出された空気を整流して第１および第２のアンプ端部に向かって流すように、ファン２１の前方に筐体３の前面に沿って備えられている。したがって、ファン２１から送出された空気を第１および第２のアンプ端部に向けて整流して、効率の良く冷却を行える。
【００５７】
また、本実施の形態では、整流板２９はアンプ部に着脱可能に取り付けられており、ファン２１は整流板２９の後側に取り付けられていて、整流板２９とともにアンプ部から着脱可能である。したがって、ファン２１の交換等のメンテナンス作業を容易に行える。
【００５８】
また、本実施の形態では、アンプ部は細長形状のアンプブロック５であり、アンプブロック５の長手方向の中央付近にファン２１が備えられ、排気通路Ａはファン２１から長手方向の両端に向かって延びており、したがって、細長形状のアンプブロック５に強制空冷構造を好適に備えられている。
【００５９】
さらに、本実施の形態では、ファン２１が、アンプブロック５の奥行き方向にも中央付近に設けられている。このようにファン２１をアンプブロック５の中央付近に配置し、排気通路を筐体前面付近で両側に延ばすことで、薄型筐体に収まる省スペースの強制空冷構造を好適に実現できる。
【００６０】
また、本実施の形態では、図６（ｂ）に示したように、アンプブロック５が、箱形筐体３の下部に横置き配置されてよい。このように、強制空冷構造を採用したことで、アンプブロック５、内部配線板７３やバッテリー７１の配置の自由度が増し、使用環境、設置環境、工事環境などに合わせた自由な内部レイアウトが可能になり、そして、重量の大きいアンプブロック５を筐体３の下部に配置でき、設置作業における作業者への負荷を大幅に軽減できる。
【００６１】
また、本実施の形態では、図６（ｃ）に示したように、アンプブロック５が、筐体３内で縦置き配置されてよい。このように、強制空冷構造を採用したことで、アンプブロック５、内部配線板７３やバッテリー７１の配置の自由度が増し、使用環境、設置環境、工事環境などに合わせた自由な内部レイアウトが可能になり、アンプブロック５を縦置き状態に配置することもできる。スピーカへの配線のスペースを確保するための逃げをアンプブロックに設けることが不要になり、熱的にもさらに有利になる。
【００６２】
その他、本実施の形態では、強制空冷構造が排気型放熱構造を採用しており、すなわち、ファン２１がアンプ部の空気を前方へ排出していた。これに対して、吸気型放熱構造が採用されてもよい。この場合、上述の排気型放熱構造に対して、ファン２１の向きを逆にすればよい。これにより、排気通路Ａは吸気通路として機能し、排気口Ｂは吸気口として機能する。空気は筐体前面から吸い込まれ、放熱板２３、２５を通ってファン２１へ至り、ファン２１から後方のアンプ部へ送出される。放熱板２３、２５で熱交換が行われる。また、ファン２１の送出側の空気流で、電界コンデンサ１７、１９およびトランス１３、１５も冷却される。
【００６３】
このように、装置の仕様等によっては吸気型の構成が適している場合もあり得る。ただし、一般的な構成では、排気型の構成の方が有利であると考えられる。排気型構造は、電界コンデンサ１７、１９等の部品を熱交換前の空気流、すなわち、放熱板で熱せられる前の空気流で冷却することができる。
【００６４】
その他にも、本発明は上述の実施の形態に限定されず、当業者が本発明の範囲内で上述の実施の形態を変形可能なことはもちろんである。
【産業上の利用可能性】
【００６５】
以上のように、本発明にかかる壁掛型音響防災装置は、アンプ部の強制空冷を実現し、省スペースで大出力のアンプを搭載可能にするという効果を有し、防災設備等として有用である。
【図面の簡単な説明】
【００６６】
【図１】本発明の実施の形態における壁掛型音響防災装置のアンプ部分の模式的な断面図
【図２】本発明の実施の形態における壁掛型音響防災装置の斜視図
【図３】壁掛型音響防災装置の分解状態の断面図
【図４】アンプブロックの半分解状態の斜視図
【図５】壁掛型音響防災装置の冷却動作を示す断面図
【図６】（ａ）壁掛型音響防災装置のレイアウト図であって、アンプブロックを上部に横置き配置した図  （ｂ）壁掛型音響防災装置のレイアウト図であって、アンプブロックを下部に横置き配置した図  （ｃ）壁掛型音響防災装置のレイアウト図であって、アンプブロックを縦置き配置した図
【符号の説明】
【００６７】
１  壁掛型音響防災装置
３  筐体
５  アンプブロック
７  排気カバー
１３、１５  トランス
１７、１９  電解コンデンサ
２１  ファン
２３、２５  放熱板
２７  発熱素子
２９  整流板
４５  ベース部
４７  放熱フィン
Ａ  排気通路
Ｂ  排気口
【図１】
2006178821.tif 000003
【図２】
2006178821.tif 000004
【図３】
2006178821.tif 000005
【図４】
2006178821.tif 000006
【図５】
2006178821.tif 000007
【図６】
2006178821.tif 000008